【手続補正書】
【提出日】平成16年3月19日(2004.3.19)
【手続補正１】
【補正対象書類名】明細書
【補正対象項目名】特許請求の範囲
【補正方法】変更
【補正の内容】
【特許請求の範囲】
【請求項１】
１つの構図を分割し、隣接する箇所に互いに同じ被写体像が存在するオーバーラップ領域を有する、複数の画像として入力する画像入力手段と、
前記複数の画像と少なくとも各オーバーラップ領域内に生じた画像の歪みまたは画像の差異を補正するのに必要な補正パラメータを設定する補正パラメータ設定領域と、
前記設定された補正パラメータに従って、前記複数の画像に少なくともオーバーラップ領域内に生じた画像の歪みまたは画像の差異が無くなるように、前記複数の画像のうち、少なくとも１枚の画像に対して補正を行う画像補正手段と、
前記画像補正手段で補正された複数の画像を、前記オーバーラップ領域上で重ねて、順次繋ぎ合わせることで、前記１つの構図を復元する画像合成手段と、
前記画像入力補正手段により入力された複数の画像、または、前記画像補正手段により補正された画像のうち少なくとも１枚の画像を表示する画像表示手段と、
を具備することを特徴とする画像処理装置。
【請求項２】
１つの構図を異なる露出条件で撮影した複数の画像として入力する画像入力手段と、
前記露出条件が異なる複数の画像のうち、少なくとも１枚の画像の明るさを補正するのに必要な補正パラメータを設定する補正パラメータ設定手段と、
前記設定された補正パラメータに従って、前記複数の画像のうち、少なくとも１枚の画像に対して明るさを補正する画像補正手段と、
前記画像補正手段により補正された画像のうち少なくとも１枚の画像を表示する画像表示手段と、
前記複数の入力画像と前記設定された補正パラメータに基づいて、前記１つの構図が前記画像入力手段で入力されたときの入射光量を推定し、前記画像補正手段で明るさが補正された複数の画像を、前記画像表示手段の表示可能範囲内に収まるように変換して合成する画像合成手段と、を具備することを特徴とする画像表示処理装置。
【請求項３】
前記画像補正手段は、前記画像表示手段に表示される複数の画像間における画像の明るさの差異に応じて、前記補正パラメータを変化させることにより画像を補正するものであることを特徴とする請求項２記載の画像処理装置。
【請求項４】
前記画像補正手段は、前記画像表示手段に表示される１枚の画像の歪曲収差または複数の画像間における歪曲収差の差異に応じて、前記補正パラメータを変化させることにより画像を補正するものであることを特徴とする請求項１に記載の画像処理装置。
【請求項５】
前記画像補正手段は、前記画像表示手段に表示される複数の画像間における画像の倍率の差異に応じて、前記補正パラメータを変化させることにより、画像を補正するものであることを特徴とする請求項１に記載の画像処理装置。
【請求項６】
前記画像補正手段は、前記画像表示手段に表示される複数の画像間における画像の色情報の差異に応じて、前記補正パラメータを変化させることにより画像を補正するものであることを特徴とする請求項１に記載の画像処理装置。
【請求項７】
前記色情報は、色相、彩度、明度の少なくとも１つであることを特徴とする請求項６に記載の画像処理装置。
【請求項８】
前記色情報は、ホワイトバランスを調整するためのＲ、Ｇ、Ｂ値の少なくとも一つであることを特徴とする請求項６に記載の画像処理装置。
【請求項９】
前記画像補正手段は、前記画像表示手段に表示される一枚の画像における画像の周辺減光または複数の画像間における画像の周辺減光の差異に応じて、前記補正パラメータを変化させることにより画像を補正するものであることを特徴とする請求項１に記載の画像処理装置。
【請求項１０】
前記画像補正手段は、前記画像表示手段に表示される複数の画像間における画像の明るさの差異に応じて、前記補正パラメータとして前記複数の画像間における露出時間比を変化させることにより画像を補正するものであることを特徴とする請求項３に記載の画像処理装置。
【請求項１１】
前記補正された画像における前記補正パラメータと、その補正画像若しくは、その画像を撮影した撮影手段の識別名とを関連付けて記憶する補正パラメータ記憶手段を有し、
前記補正パラメータ設定手段は、前記補正パラメータ記憶手段に記憶された補正パラメータより所望の補正パラメータを選択して設定することを特徴とする請求項１、請求項４、請求項９のいずれかに記載の画像処理装置。
【請求項１２】
前記補正パラメータ設定手段は、前記画像表示手段の表示画面上に表示された仮想の調整つまみを操作することにより前記補正パラメータを調整可能であることを特徴とする請求項１または２に記載の画像処理装置。
【請求項１３】
１つの構図を分割し、隣接する箇所に互いに同じ被写体像が存在するオーバーラップ領域を有する、複数の画像として入力する画像入力工程と、
前記複数の画像の少なくとも各オーバーラップ領域内に生じた画像の歪みまたは画像の差異を補正するのに必要な補正パラメータを設定する補正パラメータ設定工程と、
前記設定された補正パラメータに従って、前記複数の画像の少なくともオーバーラップ領域内に生じた画像歪みまたは画像の差異が無くなるように、前記複数の画像のうち、少なくとも１枚の画像に対して補正を行う画像補正工程と、
前記画像補正工程で補正された複数の画像を、前記オーバーラップ領域上で重ねて、順次繋ぎ合わせることで、前記１つの構図を復元する画像合成工程と、
前記画像入力工程により入力された複数の画像、または前記画像補正工程により補正された画像のうち少なくとも１枚の画像を表示する画像表示工程と、
を具備することを特徴とする画像処理方法。
【請求項１４】
１つの構図を異なる露出条件で撮影した複数の画像として入力する画像入力工程と、
前記露出条件が異なる複数の画像のうち、少なくとも１枚の画像の明るさを補正するのに必要な補正パラメータを設定する補正パラメータ設定工程と、
前記設定された補正パラメータに従って、前記複数の画像のうち、少なくとも１枚の画像に対して明るさを補正する画像補正工程と、
前記画像補正工程により補正された画像のうち少なくとも１枚の画像を表示する画像表示工程と、
前記複数の入力画像と前記設定された補正パラメータに基づいて、前記１つの構図が前記画像入力工程で入力されたときの入射光量を推定し、前記画像補正工程で明るさが補正された複数の画像を、前記画像表示工程の表示可能範囲内に収まるように変換して合成する画像合成工程と、
を具備することを特徴とする画像処理方法。
【請求項１５】
１つの構図を分割し、隣接する箇所に互いに同じ被写体像が存在するオーバーラップ領域を有する、複数の画像として撮像された複数の画像を１つの画像に復元するように実行させるプログラムであって、
前記分割された複数の画像を入力する画像入力工程と、
前記複数の画像の少なくとも各オーバーラップ領域内に生じた画像の歪みまたは画像の差異を補正するのに必要な補正パラメータを設定する補正パラメータ設定工程と、
前記設定された補正パラメータに従って、前記複数の画像の少なくともオーバーラップ領域内に生じた画像の歪みまたは画像の差異が無くなるように、前記複数の画像のうち、少なくとも１枚の画像に対して補正を行う画像補正工程と、
前記画像補正工程で補正された複数の画像を、前記オーバーラップ領域上で重ねて、順次繋ぎ合わせることで、前記１つの構図を復元する画像合成工程と、
前記画像入力工程により入力された複数の画像、または前記画像補正工程により補正された画像のうち少なくとも１枚の画像を表示する画像表示工程と、
を具備することを特徴とするプログラム。
【請求項１６】
コンピュータに、１つの構図を異なる露出条件で撮影した画像を１つの画像に合成するように実行させるプログラムであって、
１つの構図を異なる露出条件で撮影した複数の画像として入力する画像入力工程と、
前記露出条件が異なる複数の画像のうち、少なくとも１枚の画像の明るさを補正するのに必要な補正パラメータを設定する補正パラメータ設定工程と、
前記設定された補正パラメータに従って、前記複数の画像のうち、少なくとも１枚の画像に対して明るさを補正する画像補正工程と、
前記画像補正工程により補正された画像のうち少なくとも１枚の画像を表示する画像表示工程と、
前記複数の入力画像と前記設定された補正パラメータに基づいて、前記１つの構図が前記画像入力工程で入力されたときの入射光量を測定し、前記画像補正工程で明るさが補正された複数の画像を、前記画像表示工程の表示可能範囲に収まるように変換して合成する画像合成工程と、
を具備することを特徴とするプログラム。
【手続補正２】
【補正対象書類名】明細書
【補正対象項目名】００３０
【補正方法】変更
【補正の内容】
【００３０】
【課題を解決するための手段】
本発明は、上記目的を達成するために、１つの構図を分割し、隣接する箇所に互いに同じ被写体像が存在するオーバーラップ領域を有する、複数の画像として入力する画像入力手段と、前記複数の画像と少なくとも各オーバーラップ領域内に生じた画像の歪みまたは画像の差異を補正するのに必要な補正パラメータを設定する補正パラメータ設定領域と、前記設定された補正パラメータに従って、前記複数の画像に少なくともオーバーラップ領域内に生じた画像の歪みまたは画像の差異が無くなるように、前記複数の画像のうち、少なくとも１枚の画像に対して補正を行う画像補正手段と、前記画像補正手段で補正された複数の画像を、前記オーバーラップ領域上で重ねて、順次繋ぎ合わせることで、前記１つの構図を復元する画像合成手段と、前記画像入力補正手段により入力された複数の画像、または、前記画像補正手段により補正された画像のうち少なくとも１枚の画像を表示する画像表示手段とを備えた画像処理装置を提供する。


【手続補正３】
【補正対象書類名】明細書
【補正対象項目名】００３１
【補正方法】削除
【補正の内容】
【手続補正４】
【補正対象書類名】明細書
【補正対象項目名】００３２
【補正方法】変更
【補正の内容】
【００３２】
さらに、１つの構図を分割し、隣接する箇所に互いに同じ被写体像が存在するオーバーラップ領域を有する、複数の画像として入力する画像入力工程と、前記複数の画像の少なくとも各オーバーラップ領域内に生じた画像の歪みまたは画像の差異を補正するのに必要な補正パラメータを設定する補正パラメータ設定工程と、前記設定された補正パラメータに従って、前記複数の画像の少なくともオーバーラップ領域内に生じた画像歪みまたは画像の差異が無くなるように、前記複数の画像のうち、少なくとも１枚の画像に対して補正を行う画像補正工程と、前記画像補正工程で補正された複数の画像を、前記オーバーラップ領域上で重ねて、順次繋ぎ合わせることで、前記１つの構図を復元する画像合成工程と、前記画像入力工程により入力された複数の画像、または前記画像補正工程により補正された画像のうち少なくとも１枚の画像を表示する画像表示工程とを備える画像処理方法を提供する。


【手続補正５】
【補正対象書類名】明細書
【補正対象項目名】００３３
【補正方法】削除
【補正の内容】
【手続補正６】
【補正対象書類名】明細書
【補正対象項目名】００３４
【補正方法】変更
【補正の内容】
【００３４】
また、コンピュータに、１つの構図を異なる露出条件で撮影した画像を１つの画像に合成するように実行させるプログラムであって、１つの構図を異なる露出条件で撮影した複数の画像として入力する画像入力工程と、前記露出条件が異なる複数の画像のうち、少なくとも１枚の画像の明るさを補正するのに必要な補正パラメータを設定する補正パラメータ設定工程と、前記設定された補正パラメータに従って、前記複数の画像のうち、少なくとも１枚の画像に対して明るさを補正する画像補正工程と、前記画像補正工程により補正された画像のうち少なくとも１枚の画像を表示する画像表示工程と、前記複数の入力画像と前記設定された補正パラメータに基づいて、前記１つの構図が前記画像入力工程で入力されたときの入射光量を測定し、前記画像補正工程で明るさが補正された複数の画像を、前記画像表示工程の表示可能範囲に収まるように変換して合成する画像合成工程とを備えるプログラムを提供する。


【手続補正７】
【補正対象書類名】明細書
【補正対象項目名】００３５
【補正方法】変更
【補正の内容】
【００３５】
以上のように本発明は、隣接する箇所に互いに同じ被写体像が存在するオーバーラップ領域を設けて複数に分割された１つの構図の画像に対して、各オーバーラップ領域内に生じた画像の歪みまたは画像の差異を補正するための補正パラメータが設定され、この補正パラメータに従って、オーバーラップ領域内に生じた画像の歪みまたは画像の差異が無くなるように補正を行い順次重ねて、繋ぎ合わせ、１つの構図を復元し表示する画像処理装置及びその画像処理方法であり、その画像処理方法を実行するプログラムである。